(57)【要約】【課題】周囲の状況に応じて、動作により発生する音の大きさを適切に切り替えることができる電子機器などを提供する。【解決手段】外部の音を取得する取得部と、取得した前記外部の音から人の声を分離し、前記人の声の音量である第１音量を算出する第１算出部と、前記第１音量に応じて、発生する音の大きさが異なる動作を行う動作部と、を備える電子機器。【選択図】図１
2017151251.tif 000002
【特許請求の範囲】
【請求項１】
外部の音を取得する取得部と、
取得した前記外部の音から人の声を分離し、前記人の声の音量である第１音量を算出する第１算出部と、
前記第１音量に応じて、発生する音の大きさが異なる動作を行う動作部と、
を備える電子機器。
【請求項２】
取得した前記外部の音から前記人の声を分離し、前記人の声以外の所定の音の音量である第２音量を算出する第２算出部をさらに備え、
前記動作部は、前記第１音量が前記第２音量よりも小さい場合に、前記第２音量が前記第１音量よりも小さい場合に比べて、前記発生する音が大きくなる動作を行う、
請求項１に記載の電子機器。
【請求項３】
取得部が、外部の音を取得する取得ステップと、
第１算出部が、取得した前記外部の音から人の声を分離し、前記人の声の音量である第１音量を算出する第１算出ステップと、
動作部が、前記第１音量に応じて、発生する音の大きさが異なる動作を行う動作ステップと、
を含む電子機器の制御方法。
【請求項４】
コンピューターに、
外部の音を取得する取得ステップと、
取得した前記外部の音から人の声を分離し、前記人の声の音量である第１音量を算出する第１算出ステップと、
前記第１音量に応じて、発生する音の大きさが異なる動作を行わせる動作ステップと、
を実行させるためのプログラム。
【発明の詳細な説明】
【技術分野】
【０００１】
本発明は、電子機器、電子機器の制御方法、及びプログラムに関する。
【背景技術】
【０００２】
近年、動作により発生する動作音（騒音ともいう）が通常の動作モードである非静音モードより小さい静音モードを備えるプリンターなどの電子機器が知られている。ここで、静音モードは、例えば、非静音モードより印刷速度が低下し、動作音が小さい動作モードである。このような電子機器では、例えば、パーソナルコンピューター（以下、ＰＣという）によって電子機器を動作させるドライバーソフト上から手動でユーザーが、動作の都度に、動作モードを設定していた。
また、上述のような電子機器において、周辺の人の有無を検知する人感検知手段を備え、周辺の人の有無に応じて、付加音を発生させて耳障りな騒音を低減させる技術が提案されている（例えば、特許文献１を参照）。
【先行技術文献】
【特許文献】
【０００３】
【特許文献１】特開２００５−３４５９２３号公報
【発明の概要】
【発明が解決しようとする課題】
【０００４】
しかしながら、上述したドライバーソフト上から静音モードを設定する技術では、例えば、周囲の騒音レベルが大きく、人がいない場合などには、静音モードにする必要はなく、周囲の状況に応じて動作音の大きさを適切に切り替えることが困難であった。
また、特許文献１に記載の技術では、周辺の人の有無に応じて、騒音を低減させるため、例えば、人が会話している場合に静音モードにするなど、周囲の状況に応じて動作音の大きさを適切に切り替えることが困難であった。
【０００５】
本発明は、上記問題を解決すべくなされたもので、その目的は、周囲の状況に応じて、動作により発生する音の大きさを適切に切り替えることができる電子機器、電子機器の制御方法、及びプログラムを提供することにある。
【課題を解決するための手段】
【０００６】
上記問題の少なくとも一つを解決するために、本発明の一態様は、外部の音を取得する取得部と、取得した前記外部の音から人の声を分離し、前記人の声の音量である第１音量を算出する第１算出部と、前記第１音量に応じて、発生する音の大きさが異なる動作を行う動作部と、を備える電子機器である。
この構成により、電子機器は、取得部が、外部の音を取得し、第１算出部が、取得した外部の音から人の声を分離し、人の声の音量である第１音量を算出し、動作部が、第１音量に応じて、発生する音の大きさが異なる動作を行う。これにより、電子機器は、人の声の音量である第１音量に応じて、発生する音の大きさが異なる動作を行うため、周囲の状況に応じて、動作により発生する音の大きさを適切に切り替えることができる。
【０００７】
また、本発明の一態様は、上記の電子機器において、取得した前記外部の音から前記人の声を分離し、前記人の声以外の所定の音の音量である第２音量を算出する第２算出部をさらに備え、前記動作部は、前記第１音量が前記第２音量よりも小さい場合に、前記第２音量が前記第１音量よりも小さい場合に比べて、前記発生する音が大きくなる動作を行う、構成が用いられてもよい。
この構成により、電子機器は、動作部が、第１音量が人の声以外の所定の音の音量である第２音量よりも小さい場合に、第２音量が第１音量よりも小さい場合に比べて、発生する音が大きくなる動作を行う。これにより、電子機器は、人の声以外の音量が、人の声の音量より小さい場合に、人の声の音量が、人の声以外の音量より小さい場合に比べて、動作により発生する音の大きさを適切に低減することができる。よって、電子機器は、周囲の状況に応じて、動作により発生する音の大きさをさらに適切に切り替えることができる。
【０００８】
また、本発明の一態様は、取得部が、外部の音を取得する取得ステップと、第１算出部が、取得した前記外部の音から人の声を分離し、前記人の声の音量である第１音量を算出する第１算出ステップと、動作部が、前記第１音量に応じて、発生する音の大きさが異なる動作を行う動作ステップと、を含む電子機器の制御方法である。
この構成により、電子機器の制御方法では、取得部が、外部の音を取得し、第１算出部が、取得した外部の音から人の声を分離し、人の声の音量である第１音量を算出し、動作部が、第１音量に応じて、発生する音の大きさが異なる動作を行う。これにより、電子機器の制御方法は、上述した電子機器と同様に、周囲の状況に応じて、動作により発生する音の大きさを適切に切り替えることができる。
【０００９】
また、本発明の一態様は、コンピューターに、外部の音を取得する取得ステップと、取得した前記外部の音から人の声を分離し、前記人の声の音量である第１音量を算出する第１算出ステップと、前記第１音量に応じて、発生する音の大きさが異なる動作を行わせる動作ステップと、を実行させるためのプログラムである。
この構成により、プログラムは、コンピューターに、外部の音を取得する取得ステップと、取得した前記外部の音から人の声を分離し、前記人の声の音量である第１音量を算出する第１算出ステップと、前記第１音量に応じて、発生する音の大きさが異なる動作を行わせる動作ステップと、を実行させる。これにより、プログラムは、上述した電子機器と同様に、周囲の状況に応じて、動作により発生する音の大きさを適切に切り替えることができる。
【００１０】
以上のように、本発明に係る電子機器、電子機器の制御方法、及びプログラムによれば、外部の音を取得し、取得した外部の音から人の声を分離し、人の声の音量である第１音量を算出し、第１音量に応じて、発生する音の大きさが異なる動作を行う。これにより、本発明に係る電子機器、電子機器の制御方法、及びプログラムでは、周囲の状況に応じて、動作により発生する音の大きさを適切に切り替えることができる。
【図面の簡単な説明】
【００１１】
【図１】本実施形態によるプリンターの一例を示すブロック図である。
【図２】本実施形態における静音モードの移行条件の一例を示す図である。
【図３】本実施形態によるプリンターの動作の一例を示すフローチャートである。
【発明を実施するための形態】
【００１２】
以下、本発明の一実施形態による電子機器、電子機器の制御方法、及びプログラムについて、図面を参照して説明する。
本実施形態では、電子機器が、プリンターである場合の一例について説明する。
【００１３】
図１は、本実施形態によるプリンター１の一例を示すブロック図である。
図１に示すように、プリンター１は、人感センサー１１と、照度センサー１２と、マイク１３と、ＡＤＣ（Ａｎａｌｏｇ  ｔｏ  Ｄｉｇｉｔａｌ  Ｃｏｎｖｅｒｔｅｒ）２０と、ＲＯＭ（Ｒｅａｄ  Ｏｎｌｙ  Ｍｅｍｏｒｙ）３０と、ＲＡＭ（Ｒａｎｄｏｍ  Ａｃｃｅｓｓ  Ｍｅｍｏｒｙ）４０と、制御部５０と、印刷動作部６０とを備えている。プリンター１は、例えば、インクジェットプリンターである。
【００１４】
人感センサー１１は、プリンター１の外部（周囲）の人間の動きを検出する。人感センサー１１は、例えば、赤外線や超音波などにより、プリンター１の外部（周囲）の人間の有無及び人間の動き（例えば、人間の動作量など）を検出する。人感センサー１１は、検出した検出結果をアナログ信号としてＡＤＣ２０に出力する。
【００１５】
照度センサー１２は、プリンター１の外部（周囲）の明るさ又は暗さを検出する。照度センサー１２は、検出した検出結果（例えば、明るさを示す出力信号）をアナログ信号としてＡＤＣ２０に出力する。
マイク１３は、プリンター１の外部（周囲）の音を集音する。マイク１３は、例えば、集音した外部の音をアナログ信号の音信号として、ＡＤＣ２０に出力する。なお、以下の説明において、外部（周囲）の音を周囲音として表記することがある。
【００１６】
ＡＤＣ２０は、アナログ信号をデジタル信号に変換する。ＡＤＣ２０は、制御部５０からの制御信号に基づいて、例えば、人感センサー１１から出力された、人間の有無及び人間の動きの検出結果を示すアナログ信号をデジタル信号に変換する。また、ＡＤＣ２０は、制御部５０からの制御信号に基づいて、例えば、照度センサー１２から出力された、外部（周囲）の明るさの検出結果を示すアナログ信号をデジタル信号に変換する。また、ＡＤＣ２０は、制御部５０からの制御信号に基づいて、例えば、マイク１３から出力された、周囲音を示すアナログ信号をデジタル信号に変換する。ＡＤＣ２０は、変換したデジタル信号を検出結果として、制御部５０に出力する。
【００１７】
ＲＯＭ３０は、例えば、制御部５０を動作させる制御プログラムや、後述する静音モードの移行条件などの情報を記憶する。
ＲＡＭ４０は、プリンター１の各種処理に利用される各種情報を一時記憶する。ＲＡＭ４０は、例えば、ＡＤＣ２０によってデジタル信号に変換された各種情報であって、人感センサー１１、照度センサー１２、及びマイク１３の検出結果を示す各種情報を記憶する。また、ＲＡＭ４０は、例えば、後述する印刷動作部６０により、印刷を行う画像又は文字データなどの印刷データを記憶する。
【００１８】
制御部５０は、例えば、ＣＰＵ（Ｃｅｎｔｒａｌ  Ｐｒｏｃｅｓｓｉｎｇ  Ｕｎｉｔ）などを含むプロセッサであり、プリンター１を統括的に制御する。制御部５０は、ＲＯＭ３０に記憶されている制御プログラムを実行させることにより、各種処理を実行する。また、制御部５０は、取得部５１と、第１算出部５２と、第２算出部５３と、静音制御部５４とを備えている。
【００１９】
取得部５１は、人感センサー１１、照度センサー１２、及びマイク１３の検出結果を、ＡＤＣ２０を介して取得する。取得部５１は、例えば、プリンター１の周囲における人間の有無及び人間の動き（人間の動作量）を示す情報を、定期的にＡＤＣ２０を介して取得し、取得した当該情報をＲＡＭ４０に記憶させる。また、取得部５１は、例えば、周囲の明るさ（可視光の明るさ）を示す情報を、定期的にＡＤＣ２０を介して取得し、取得した当該情報をＲＡＭ４０に記憶させる。すなわち、取得部５１は、外部の照度を取得する。
また、取得部５１は、例えば、周囲音（外部の音）を示す情報を、定期的にＡＤＣ２０を介して取得し、取得した当該情報をＲＡＭ４０に記憶させる。すなわち、取得部５１は、プリンター１の外部の音を取得する。
【００２０】
第１算出部５２は、取得部５１が取得した外部の音から人の声を分離し、人の声の音量である第１音量を算出する。すなわち、第１算出部５２は、ＲＡＭ４０に記憶されている周囲音を示す音情報を、例えば、ＦＦＴ（Ｆａｓｔ  Ｆｏｕｒｉｅｒ  Ｔｒａｎｓｆｏｒｍ）等により周波数変換し、周波数特性及び音の継続時間などに基づいて、周囲音のうちの人の声を分離し、人の声の音量（第１音量）を算出する。第１算出部５２は、算出した人の声の音量（第１音量）をＲＡＭ４０に記憶させる。
【００２１】
第２算出部５３は、取得した外部の音から人の声を分離し、人の声以外の所定の音の音量である第２音量を算出する。すなわち、第２算出部５３は、ＲＡＭ４０に記憶されている周囲音を示す音情報を、例えば、ＦＦＴ等により周波数変換し、周波数特性及び音の継続時間などに基づいて、周囲音のうちの人の声を分離し、人の声以外の所定の音の音量（第２音量）を算出する。第２算出部５３は、算出した所定の音の音量（第２音量）をＲＡＭ４０に記憶させる。ここで、人の声以外の所定の音の音量とは、例えば、周囲の騒音、雑音などである。なお、人の声以外の所定の音の音量は、人の声以外の全ての音の音量であってもよいが、そこからさらに分離を行った音の音量であってもよい。例えば、人の声を分離して除いたあとの音から人の感度を考慮して、人が気になりやすい音を人が気になりにくい音から分離し、この人が気になりやすい音の音量を第２音量としてもよい。
【００２２】
静音制御部５４は、所定の移行条件に基づいて、静音モードと、速度優先モード（非静音モード）とのいずれかの動作モードを選択し、選択した動作モードにより、印刷動作部６０を動作させる。ここで、静音モード及び速度優先モードは、後述する印刷動作部６０による印刷のための動作モードである。静音モードは、速度優先モードに比べて、印刷速度が低下し、騒音（発生する音の大きさ）が小さい（静かな）動作モードである。また、速度優先モードは、印刷速度を優先させた動作モードであり、静音モードに比べて、騒音（発生する音の大きさ）が大きく、印刷速度の速い動作モードである。静音制御部５４は、例えば、図２に示すような所定の移行条件に基づいて、静音モードと、速度優先モードとのいずれかの動作モードを選択し、選択した動作モードにより、印刷動作部６０を動作させる。
【００２３】
図２は、本実施形態における静音モードの移行条件の一例を示す図である。
図２に示すように、静音モードの移行条件には、「明るさ」と、「人感情報」と、「周囲音」とが含まれる。ここで、「明るさ」は、外部（周囲）の明るさであり、照度センサー１２によって検出された周囲の明るさ（可視光の明るさ）を示す情報であり、例えば、“明るい”、“暗い”などの情報である。また、「人感情報」は、人感センサー１１によって検出された人間の動作量を示す情報であり、例えば、“動きあり”、“動きなし”などの情報である。また、「周囲音」は、マイク１３によって検出された周囲音から分離した、人の声の音量（第１音量）と、人の声以外の所定の音の音量（第２音量）とに関する情報である。静音制御部５４は、「明るさ」と、「人感情報」と、「周囲音」とに基づいて、静音モードと、速度優先モードとのいずれかの動作モードを選択する。
【００２４】
また、図２に示す例では、静音モードの移行条件として、「項目番号」の“１”〜“８”の条件項目を有している。
例えば、「項目番号」の“１”は、「明るさ」が“明るい”、「人感情報」が“動きあり”、「周囲音」が、“騒音＞人の声”（第２音量＞第１音量）である場合を示している。この場合は、周囲の状況が、明るく、人間の動きがあり、うるさい場所（例えば、昼間のオフィス、学校など）であり、周囲の騒音が明らかに人の声より大きい環境である。このような場合には、静音制御部５４は、速度優先モードを選択する。
【００２５】
また、例えば、「項目番号」の“２”は、「明るさ」が“明るい”、「人感情報」が“動きあり”、「周囲音」が、“騒音＜人の声”（第２音量＜第１音量）である場合を示している。この場合は、周囲の状況が、明るく、人間の動きがあり（例えば、動きが小）、静かな場所（例えば、研究・開発所、図書館など）であり、例えば、周囲の騒音はあるが人の声が聞き取れる環境や、電話中などプリンター１の音が邪魔な環境である。このような場合には、静音制御部５４は、静音モードを選択する。
【００２６】
また、例えば、「項目番号」の“３”は、「明るさ」が“明るい”、「人感情報」が“動きなし”、「周囲音」が、“あり”（騒音あり、人の声なし）である場合を示している。この場合は、周囲の状況が、明るく、人間の動きがなく、うるさい場所（例えば、人のいない工場など）である。このような場合には、静音制御部５４は、速度優先モードを選択する。
【００２７】
また、例えば、「項目番号」の“４”は、「明るさ」が“明るい”、「人感情報」が“動きなし”、「周囲音」が、“なし”（騒音なし、人の声なし）である場合を示している。この場合は、周囲の状況が、明るく、人間の動きがなく、静かな場所（例えば、人のいない部屋など）である。このような場合には、静音制御部５４は、速度優先モードを選択する。
【００２８】
また、例えば、「項目番号」の“５”は、「明るさ」が“暗い”、「人感情報」が“動きあり”、「周囲音」が、“騒音＞人の声”（第２音量＞第１音量）である場合を示している。この場合は、周囲の状況が、暗く、人間の動きがあり、うるさい場所（例えば、薄暗い騒音の大きい工場、カラオケボックスなど）であり、周囲の騒音が明らかに人の声より大きい環境である。このような場合には、静音制御部５４は、速度優先モードを選択する。
【００２９】
また、例えば、「項目番号」の“６”は、「明るさ」が“暗い”、「人感情報」が“動きあり”、「周囲音」が、“騒音＜人の声”（第２音量＜第１音量）である場合を示している。この場合は、周囲の状況が、暗く、人間の動きがあり、静かな場所（例えば、薄暗いオフィス、喫茶店、リビングなど）であり、例えば、周囲の騒音は多少あるが人の声が聞き取れる環境である。このような場合には、静音制御部５４は、静音モードを選択する。
【００３０】
また、例えば、「項目番号」の“７”は、「明るさ」が“暗い”、「人感情報」が“動きなし”、「周囲音」が、“あり”（騒音あり、人の声なし）である場合を示している。この場合は、周囲の状況が、暗く、人間の動きがなく、うるさい場所（例えば、夜間の工場など）である。このような場合には、静音制御部５４は、速度優先モードを選択する。
【００３１】
また、例えば、「項目番号」の“８”は、「明るさ」が“暗い”、「人感情報」が“動きなし”、「周囲音」が、“なし”（騒音なし、人の声なし）である場合を示している。この場合は、周囲の状況が、暗く、人間の動きがなく、静かな場所（例えば、就寝中の寝室など）である。このような場合には、静音制御部５４は、静音モードを選択する。
【００３２】
このように、静音制御部５４は、人の声の音量（第１音量）と、人の声以外の所定の音の音量（第２音量）と、外部の照度と、人感情報とに基づいて、静音モードと、速度優先モードとのいずれかの動作モードを選択し、選択した動作モードにより、印刷動作部６０を動作させる。静音制御部５４は、選択した動作モードにより動作させる動作指令を、後述する印刷動作部６０のプリンターコントローラー６１に出力する。
【００３３】
印刷動作部６０（動作部の一例）は、人の声の音量（第１音量）に応じて、発生する音の大きさが異なる動作を行う。印刷動作部６０は、例えば、人の声の音量（第１音量）が人の声以外の所定の音の音量（第２音量）よりも小さい場合に、人の声以外の所定の音の音量（第２音量）が人の声の音量（第１音量）よりも小さい場合に比べて、発生する音が大きくなる動作（速度優先モード）を行う。また、印刷動作部６０は、例えば、人の声の音量（第１音量）が人の声以外の所定の音の音量（第２音量）よりも大きい場合に、人の声以外の所定の音の音量（第２音量）が人の声の音量（第１音量）よりも大きい場合に比べて、発生する音が小さくなる動作（静音モード）を行う。また、印刷動作部６０は、人の声の音量（第１音量）と外部の照度とに応じて、発生する音の大きさが異なる動作を行う。このように、印刷動作部６０は、上述した静音制御部５４によって選択（判定）された動作モードにより、印刷を実行する。
また、印刷動作部６０は、プリンターコントローラー６１と、プリンターメカ部６２とを備えている。
【００３４】
プリンターコントローラー６１は、静音制御部５４から出力された動作指令に基づいて、例えば、静音モードと、速度優先モードとのいずれかにより、プリンターメカ部６２を制御して、各種印刷を実行する。プリンターコントローラー６１は、例えば、静音モードと、速度優先モードとで印刷速度を変更し、発生する音（印刷による騒音）の大きさを変更する。
プリンターメカ部６２は、例えば、インクジェットによる印刷ヘッド（不図示）、給紙部（不図示）、排紙部（不図示）などを備え、プリンターコントローラー６１の制御の基で、各種印刷を実行する。
【００３５】
次に、図３を参照して、本実施形態によるプリンター１の動作について説明する。
図３は、本実施形態によるプリンター１の動作の一例を示すフローチャートである。
図３に示すように、プリンター１は、例えば、ドライバーソフトを介したＰＣ等からの印刷開始の指示により、印刷処理を開始し、まず、人感センサー１１の測定を行う（ステップＳ１０１）。すなわち、人感センサー１１が検出した人間の動作量を、制御部５０の取得部５１が、ＡＤＣ２０を介して、取得する。取得部５１は、取得した人間の動作量をＲＡＭ４０に記憶させる。
【００３６】
次に、プリンター１は、明るさの測定を行う（ステップＳ１０２）。すなわち、照度センサー１２が検出した外部（周囲）の明るさを示す情報を、取得部５１が、ＡＤＣ２０を介して、取得する。取得部５１は、取得した明るさを示す情報をＲＡＭ４０に記憶させる。
【００３７】
次に、プリンター１は、周囲音を測定する（ステップＳ１０３）。すなわち、マイク１３が検出した外部（周囲）の音（周囲音）を、取得部５１が、ＡＤＣ２０を介して、取得する。取得部５１は、取得した周囲音をＲＡＭ４０に記憶させる。また、制御部５０の第１算出部５２は、ＲＡＭ４０に記憶されている周囲音を示す音情報を、例えば、ＦＦＴ等により周波数変換し、周波数特性及び音の継続時間などに基づいて、周囲音のうちの人の声を分離し、人の声の音量（第１音量）を算出する。第１算出部５２は、算出した人の声の音量（第１音量）をＲＡＭ４０に記憶させる。また、制御部５０の第２算出部５３は、周囲音のうちの人の声を分離し、人の声以外の所定の音の音量（第２音量）を算出する。第２算出部５３は、算出した所定の音の音量（第２音量）をＲＡＭ４０に記憶させる。
【００３８】
次に、プリンター１は、静音モードの移行判定を実行する（ステップＳ１０４）。すなわち、制御部５０の静音制御部５４は、例えば、図２に示す移行条件に基づいて、静音モードの移行判定を実行する。静音制御部５４は、静音モードであると判定した場合に、処理をステップＳ１０５に進める。また、静音制御部５４は、速度優先モードであると判定した場合に、処理をステップＳ１０６に進める。
なお、ステップＳ１０１からステップＳ１０３の処理の実行順序は任意であり、実行順序が入れ替わってもよい。
【００３９】
ステップＳ１０５において、静音制御部５４は、静音モードを動作させる。静音制御部５４は、静音モードにより動作させる動作指令をプリンターコントローラー６１に出力し、印刷動作部６０を静音モードで動作させる。静音制御部５４は、ステップＳ１０５の処理後に、処理をステップＳ１０７に進める。
【００４０】
ステップＳ１０６において、静音制御部５４は、速度優先モードを動作させる。静音制御部５４は、速度優先モードにより動作させる動作指令をプリンターコントローラー６１に出力し、印刷動作部６０を速度優先モードで動作させる。静音制御部５４は、ステップＳ１０６の処理後に、処理をステップＳ１０７に進める。
【００４１】
ステップＳ１０７において、プリンター１は、１ページを印刷する。静音制御部５４は、ドライバーソフトを介してＰＣ等から取得し、ＲＡＭ４０に記憶されている印刷データをプリンターコントローラー６１に送信する。プリンターコントローラー６１は、プリンターメカ部６２を制御して印刷データの印刷を実行する。
【００４２】
次に、静音制御部５４は、印刷終了か否かを判定する（ステップＳ１０８）。静音制御部５４は、印刷終了である場合（ステップＳ１０８：ＹＥＳ）に、処理を終了させる。また、静音制御部５４は、印刷終了でない場合（ステップＳ１０８：ＮＯ）に、処理をステップＳ１０１に戻す。
【００４３】
以上説明したように、本実施形態によるプリンター１（電子機器の一例）は、取得部５１と、第１算出部５２と、印刷動作部６０（動作部の一例）とを備えている。取得部５１は、外部の音を取得する。第１算出部５２は、取得部５１が取得した外部の音から人の声を分離し、人の声の音量である第１音量を算出する。印刷動作部６０は、第１算出部５２が算出した第１音量に応じて、発生する音の大きさが異なる動作を行う。
これにより、本実施形態によるプリンター１は、人の声の音量である第１音量に応じて、発生する音の大きさが異なる動作を行うため、周囲の状況に応じて、動作により発生する音の大きさを適切に切り替えることができる。よって、本実施形態によるプリンター１は、利便性を向上させることができる。
【００４４】
また、本実施形態によるプリンター１は、取得した外部の音から人の声を分離し、人の声以外の所定の音の音量である第２音量を算出する第２算出部５３をさらに備える。印刷動作部６０は、第１音量が第２音量よりも小さい場合に、第２音量が第１音量よりも小さい場合に比べて、発生する音が大きくなる動作を行う。
これにより、本実施形態によるプリンター１は、人の声以外の音量（第２音量）が、人の声の音量（第１音量）より小さい場合に、人の声の音量（第１音量）が、人の声以外の音量（第２音量）より小さい場合に比べて、動作により発生する音の大きさを適切に低減することができる。例えば、周囲の騒音が明らかに人の声より大きい状況などの場合（図２の「項目番号」の“１”の場合）に、本実施形態によるプリンター１は、適切に速度優先モードを選択することができる。また、例えば、周囲の騒音はあるが人の声が聞き取れる状況、電話中などプリンター１の音が邪魔な状況などの場合（図２の「項目番号」の“２”の場合）に、本実施形態によるプリンター１は、適切に静音モードを選択することができる。よって、本実施形態によるプリンター１は、周囲の状況に応じて、動作により発生する音の大きさをさらに適切に切り替えることができる。
【００４５】
また、本実施形態では、取得部５１は、さらに外部の照度を取得する。印刷動作部６０は、第１音量と外部の照度とに応じて、発生する音の大きさが異なる動作を行う。
これにより、本実施形態によるプリンター１は、人の声の音量と外部の明るさとに応じて、発生する音の大きさが異なる動作を行うため、人の声、及び外部の明るさによる周囲の状況に応じて、動作により発生する音の大きさを適切に切り替えることができる。
なお、本実施形態では、上述した静音モードは、速度優先モードに比べて、印刷速度が低下し、騒音（発生する音の大きさ）が小さい（静かな）動作モードである。本実施形態によるプリンター１は、静音モードが必要な周囲の状況においてのみ、静音モードに切り替えるため、印刷速度が低下する期間を最小にすることができる。
【００４６】
また、本実施形態による電子機器（例えば、プリンター１）の制御方法は、取得ステップと、第１算出ステップと、動作ステップとを含む。取得ステップにおいて、取得部５１が、外部の音を取得する。第１算出ステップにおいて、第１算出部５２が、取得した外部の音から人の声を分離し、人の声の音量である第１音量を算出する。動作ステップにおいて、印刷動作部６０が、第１音量に応じて、発生する音の大きさが異なる動作を行う。
これにより、本実施形態による電子機器の制御方法は、上述したプリンター１と同様に、周囲の状況に応じて、動作により発生する音の大きさを適切に切り替えることができる。よって、本実施形態による電子機器の制御方法は、利便性を向上させることができる。
【００４７】
以上、この発明の実施形態について図面を参照して詳述してきたが、具体的な構成はこの実施形態に限られるものではなく、この発明の要旨を逸脱しない範囲の設計等も含まれる。
例えば、上記の実施形態において、電子機器の一例として、プリンター１である場合について説明したがこれに限定されるものではく、ファクシミリやコピー機（複写機）などの他の電子機器であってもよい。
また、上記の実施形態において、プリンター１は、インクジェットプリンターである例を説明したが、トナー式のプリンターなど他の方式のプリンターであってもよい。
また、上記の実施形態において、静音モードは、動作速度（印刷速度）を低下して動作音を小さくする例を説明したが、これに限定されるものではなく、動作速度以外の方法によって、静音モードを実現するようにしてもよい。
【００４８】
また、上記の実施形態において、図３に示すように、プリンター１（静音制御部５４）が、１ページの印刷をするごとに、動作モードを切り替える判定を行う例を説明したが、これに限定されるものではない。プリンター１（静音制御部５４）は、例えば、印刷する印刷データ単位で動作モードを切り替える判定を行うようにしてもよいし、１ページの印刷の途中で、動作モードを切り替える判定を行うようにしてもよい。また、プリンター１（静音制御部５４）は、例えば、複数ページ（Ｎページ）の印刷をするごとに、動作モードを切り替える判定を行うようにしてもよい。
【００４９】
また、上記の実施形態において、静音制御部５４は、図２に示す移行条件に基づいて、動作モードを切り替える例を説明したが、これに限定されるものではなく、他の移行条件に基づいて、動作モードを切り替えるようにしてもよい。
また、上記の実施形態において、取得部５１は、人感センサー１１、照度センサー１２、マイク１３、及びＡＤＣ２０を含まない構成を説明したが、人感センサー１１、照度センサー１２、又はマイク１３と、ＡＤＣ２０とを含む構成としてもよい。また、ＡＤＣ２０は、人感センサー１１、照度センサー１２、及びマイク１３の検出データを定期的に取得してデジタル信号に変換させる検出制御部と、当該検出データを記憶する記憶部とを備えるようにしてもよい。また、人感センサー１１、照度センサー１２、又はマイク１３は、プリンター１の外部の構成として、着脱可能に構成されてもよい。
【００５０】
また、上記の実施形態において、第１算出部５２は、周波数特性及び音の継続時間に基づいて、人の声を分離する例を説明したが、これに限定されるものではなく、周波数特性の他に、例えば、音の強弱、声紋などに基づいて、人の声を分離するようにしてもよい。
また、上記の実施形態において、第１算出部５２と第２算出部５３とを異なる構成として説明したが、第１算出部５２と第２算出部５３とを共通の算出部として実現するようにしてもよい。
【００５１】
なお、以上に説明した電子機器（例えば、プリンター１）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【００５２】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００５３】
１…プリンター、１１…人感センサー、１２…照度センサー、１３…マイク、２０…ＡＤＣ、３０…ＲＯＭ、４０…ＲＡＭ、５０…制御部、５１…取得部、５２…第１算出部、５３…第２算出部、５４…静音制御部、６０…印刷動作部、６１…プリンターコントローラー、６２…プリンターメカ部
【図１】
2017151251.tif 000003
【図２】
2017151251.tif 000004
【図３】
2017151251.tif 000005